(57)【要約】【課題】パッティングに際してラインの方向決めや距離の把握に利用できる簡易な機構をパターに組み入れるようにし、前記機構を有しながら通常のパターと同じようなパッティング感覚でプレーできるパターを得る。【解決手段】シャフト２をシャフト２の径方向であってかつヘッド４の打撃面と直交する方向に貫通してシャフト２の長さ方向に亘って開口している長孔３を備え、シャフト２の長さ方向に亘る長孔３の内側面６を平行にした。【選択図】    図１
2004187857.tif 000002
【特許請求の範囲】
【請求項１】
シャフトをシャフトの径方向であってかつヘッドの打撃面と直交する方向に貫通してシャフトの長さ方向に亘って開口している長孔を備え、シャフトの長さ方向に亘る長孔の内側面が平行に相対していることを特徴とするパター。
【請求項２】
上記長孔に透明部材が配置されている請求項１に記載のパター。
【発明の詳細な説明】
【０００１】
【発明の属する技術分野】
本発明はゴルフのパターに関するものである。
【０００２】
【従来の技術】
従来からゴルフプレイにおいてはゴルフボールを飛ばす方向と距離との把握が大きな要素となっており、ディーグラウンドやフェアウェイでスイングするに際し、コース上の樹木やバンカーの位置などを参考にして方向と距離を見定めながらクラブの選択を行なったりスタンスの取り方を決定している。また、グリーンオンした後のグリーン上でのプレイでは、ホールまでの方向や距離を把握する上で参考となる目標が少ないため、一般的にはパターを片手で吊り下げて打撃ラインを定めたり、定姿勢でパターを吊り下げてそのパターのシャフトとホールとが見た目上で重なるようにし、そのシャフトの見た目上の重なり位置によってホールまでの距離を推定することも行われている。
このようにグリーン上ではパターの外形状を利用して方向や距離を把握することが行われているが、パッティングする上でより正確な情報がパターから得られるようにするために、グリップに覗き窓を設けるようにしたりシャフトを芯入りの透明部材とした工夫も提案されている（例えば、特許文献１、特許文献２参照）。
【０００３】
【特許文献１】
特開昭６１−１６５２６７号公報（第３頁、第４図）
【特許文献２】
実用新案登録第３０３３７５４号公報（請求項１、図１）
【０００４】
【発明が解決しようとする課題】
しかしながら、グリップに上記覗き窓を備えるものにあってはグリップ部の構造が複雑なものとなる問題があり、またシャフトが芯入りの透明部材からなるパターにあってはシャフトが金属製のものと異なるためにパッティング感覚が大きく異なるとともに、シャフトが損傷しないように取り扱いに十分なる注意が必要になるなどの問題があった。
そこで本発明は上記事情に鑑み、パッティングに際してラインの方向決めや距離の把握に利用できる簡易な機構をパターに組み入れるようにすることを課題とし、前記機構を有しながら通常のパターと同じようなパッティング感覚でプレーできるパターを得ることを目的とするものである。
【０００５】
【課題を解決するための手段】
本発明は上記課題を考慮してなされたもので、シャフトをシャフトの径方向であってかつヘッドの打撃面と直交する方向に貫通してシャフトの長さ方向に亘って開口している長孔を備え、シャフトの長さ方向に亘る長孔の内側面が平行に相対していることを特徴とするパターを提供して、上記課題を解消するものである。
そして、本発明にあっては、上記長孔に透明部材が配置されているものとすることが可能である。
【０００６】
【発明の実施の形態】
つぎに本発明を図１から図３に示す実施の形態に基づいて詳細に説明する。
図中１はパターで、図１に示されているように該パター１のシャフト２には長孔３が設けられており、シャフト２のヘッド４側からグリップ５側に及ぶ長さを有している。また、前記長孔３はシャフト２の径方向であって、かつヘッド４の打撃面と直交する方向Ａにしてシャフト２を貫通しているものである。前記シャフト２の素材自体は通常に採用される金属材であって、前記長孔３をシャフト２の長さ方向に亘って穿設しているが、長孔３のシャフト径方向での開口幅は３〜４ｍｍ程度としてシャフト２の剛性が低くならないようにしているものであり、通常のパターと同様の取り扱いが行なえるように設けられている。また、ヘッド４の打撃面と直交する方向Ａにして長孔３が貫通しているため、パター振り方向での剛性も殆ど変化することがなく、通常のパッティング感覚が損なわれない。勿論、シャフト４全体の剛性やパター振り方向でのしなやかさが増加してしまう場合には、シャフト２の直径を変化させたり、剛性を高める外形状にすることも可能である。
【０００７】
さらに上記長孔３において、シャフトの長さ方向に亘る内側面６は平行に相対している。このように長孔３の内側面６が平行に相対していることから、パターを片手で吊り下げてシャフトと目標位置（例えばホール位置）とが重なるように見て、長孔３の内幅が最大となる状態でその長孔３の内側に目標位置が収まるようにすれば、ヘッド４の打撃面が目標位置に向いた状態となり、そのままヘッドを降ろすことで打撃面を目標に適正に向わせることができる。特に長孔３の開口幅は上述したように３〜４ｍｍ程度の狭いものであることから、より正確に打撃面を目標位置に向けることができる。勿論、ヘッド４を接地した状態で行なうこともできる。
【０００８】
また、定姿勢でパター１を吊り下げた状態で長孔３を通して目標を見定め、目標の高さと揃う長孔３の内側面６の位置を見とどめておけば、その内側面６の前記位置により目標までの距離を推定できるようになる。つまり、予め、パッティング位置から定距離後退し定姿勢でパター１を吊り下げた状態において、複数位置に設定した目標を長孔３から見通したときに、それぞれの目標が内側面６のどの高さ位置に来るかを記録しておき、実プレイ時に長孔３を通して見たときに得られた内側面６に対する位置と、先に得ていた距離が異なるごとの目標に対する内側面６での位置とを比較することで、実プレイ時の距離を推定できるものとなる。
このようにして距離を推定できることから、その情報に基づいてどれぐらいの強さでパッティングすればよいかの参考となり、また、上述したように打撃面を適正に目標に向けることができるため、良好なパッティングが行なえるようになる。図１において８はシャフト２のグリップ５側とヘッド４側とに設けた中心線で、パター１の中心を示しており、ヘッド４の打撃面にもこの中心線８と直交するようにして補助線が刻印されている。そして、長孔３にてライン合わせする際にパター１の中心線８をボールに合わせるようにすれば方向性がより一層確かなものとなる。
なお、方向や距離を推測して定めたパターが、パッティングスタンスをとる時にずれることのないように、上記ヘッド４の底面が広がりのある面状としてヘッド４を接地させた時にグリーン上でパター全体が自立するものであれば良好である。この後はパターを振り子状にスイングすればよい。
【０００９】
上記実施の例では、シャフト２が長孔３の存在によって素通し状態となっているが、本発明は上記の例に限定されない。図３はその他の例を示していて、長孔３の全体に透明部材７を嵌め入れて固定している。透明部材７はシャフト２の外周面から張出するものではなく、シャフト２全体の外周形状が略円となるように設けられている。
この例においても目標に対する方向を見定めるときには長孔３の透明部材７を通して行なえばよい。そして、前記透明部材７シャフト外方に臨む両外面には目盛９が設けられており、実プレイ時に確認した目盛位置と事前に距離ごとに把握している目盛位置との比較から実プレイでの距離を推測できるようにしている。なお、上記各実施の形態はロングパターを示しているが、本発明はロングパターに限定されるものではない。
【００１０】
【発明の効果】
以上説明したように本発明のパターによれば、シャフトをシャフトの径方向であってかつヘッドの打撃面と直交する方向に貫通してシャフトの長さ方向に亘って開口している長孔を備え、シャフトの長さ方向に亘る長孔の内側面が平行に相対していることを特徴とするものである。このように長孔を備えるという簡易な構成であることから、パターの製造コストを大幅に引き上げることがなく、また、通常のパターを利用した方向の確認の仕方や距離の判断の仕方となんら代わることがないとともに、より正確に情報を得られるようになるなど、実用性に優れた効果を奏するものである。
【図面の簡単な説明】
【図１】本発明に係るパターの一例を示す説明図である。
【図２】一例におけるシャフトを断面で示す説明図である。
【図３】他の例を示す説明図である。
【符号の説明】
１…パター
２…シャフト
３…長孔
６…内側面
７…透明部材
９…目盛
【図１】
2004187857.tif 000003
【図２】
2004187857.tif 000004
【図３】
2004187857.tif 000005